(57)【要約】【課題】容器の側壁の角部においてシュリンクラベルに皺が発生しにくいシュリンクラベル付き容器及び角形容器並びにシュリンクラベルを提供する。【解決手段】横断面視角形の容器の側壁１１にシュリンクラベルが装着されたシュリンクラベル付き角形容器であって、容器１の側壁１１における角部２２以外の壁面部２０，２１の外面は平滑面とされ、容器１の側壁１１の少なくとも一つの角部２２の外面に縦溝２３が形成されている。角部２２に縦溝２３が形成されることで、シュリンクラベル２との間の周方向の摩擦抵抗は、角部２２において相対的に小さくなり、壁面部２０，２１において相対的に大きくなる。【選択図】図１
2013189219.tif 000002
【特許請求の範囲】
【請求項１】
横断面視角形の容器の側壁にシュリンクラベルが装着されたシュリンクラベル付き角形容器であって、
容器の側壁の少なくとも一つの角部における該側壁の外面とシュリンクラベルの内面のうち少なくとも一方には、容器の側壁の角部におけるシュリンクラベルと容器の側壁との間の周方向の摩擦抵抗を側壁の角部以外の壁面部における摩擦抵抗よりも小さくするための易滑動部が形成されていることを特徴とするシュリンクラベル付き角形容器。
【請求項２】
容器の側壁における角部以外の壁面部の外面は平滑面であり、容器の側壁の少なくとも一つの角部における外面には易滑動部としての縦溝が形成されている請求項１記載のシュリンクラベル付き角形容器。
【請求項３】
シュリンクラベルの内面であって容器の側壁の少なくとも一つの角部に対応した箇所には、易滑動部としての滑り性に優れた樹脂層が部分的に形成されている請求項１又は２記載のシュリンクラベル付き角形容器。
【請求項４】
横断面視角形の側壁にシュリンクラベルが装着される角形容器であって、
側壁の少なくとも一つの角部における外面には、該角部におけるシュリンクラベルとの間の周方向の摩擦抵抗を側壁の角部以外の壁面部における摩擦抵抗よりも小さくするための易滑動部が形成されていることを特徴とする角形容器。
【請求項５】
横断面視角形の容器の側壁に装着される角形容器用のシュリンクラベルであって、
容器の側壁の少なくとも一つの角部に対応した箇所の内面には、該箇所における容器の側壁との間の周方向の摩擦抵抗を角部以外の壁面部に対応した箇所における摩擦抵抗よりも小さくするための易滑動部が形成されていることを特徴とする角形容器用のシュリンクラベル。
【発明の詳細な説明】
【技術分野】
【０００１】
本発明は、角形容器にシュリンクラベルが装着されたシュリンクラベル付き角形容器と、該シュリンクラベル付き角形容器に使用される角形容器並びにシュリンクラベルに関する。
【背景技術】
【０００２】
シュリンクラベルは各種の容器に装着されて使用されている。容器にシュリンクラベルを装着する際にはスチーム等でシュリンクラベルを加熱してそれを収縮させるのであるが（下記特許文献１，２）、美観を確保するためにはシュリンクラベルに皺等が生じないように収縮させることが求められる。
【０００３】
しかしながら、容器の側壁が横断面視において角形である場合にはその側壁の角部においてシュリンクラベルに皺が発生しやすいことが判明した。その原因は必ずしも明らかではないが、シュリンクラベルが収縮する際に側壁の角部においてシュリンクラベルが周方向にスムーズに移動できないことが要因であると考えられた。
【先行技術文献】
【特許文献】
【０００４】
【特許文献１】特開２００２−４６７１５号公報
【特許文献２】特開平７−１５６９３０号公報
【発明の概要】
【発明が解決しようとする課題】
【０００５】
それゆえに本発明は上記従来の問題点に鑑みてなされ、容器の側壁の角部においてシュリンクラベルに皺が発生しにくいシュリンクラベル付き角形容器及び角形容器並びにシュリンクラベルを提供することを課題とする。
【課題を解決するための手段】
【０００６】
本発明は、上記課題を解決すべくなされたものであって、本発明に係るシュリンクラベル付き角形容器は、横断面視角形の容器の側壁にシュリンクラベルが装着されたシュリンクラベル付き角形容器であって、容器の側壁の少なくとも一つの角部における該側壁の外面とシュリンクラベルの内面のうち少なくとも一方には、容器の側壁の角部におけるシュリンクラベルと容器の側壁との間の周方向の摩擦抵抗を側壁の角部以外の壁面部における摩擦抵抗よりも小さくするための易滑動部が形成されていることを特徴とする。
【０００７】
該構成のシュリンクラベル付き角形容器にあっては、容器の側壁の少なくとも一つの角部における該側壁の外面とシュリンクラベルの内面のうち少なくとも一方に易滑動部が形成されているので、その角部においてシュリンクラベルがスムーズに周方向に移動して熱収縮できる。
【０００８】
特に、易滑動部を容器側に設ける場合には以下のように構成することが好ましい。即ち、容器の側壁における角部以外の壁面部の外面を平滑面とし、容器の側壁の少なくとも一つの角部における外面に易滑動部としての縦溝を形成することが好ましい。容器の側壁の壁面部の外面を平滑面とすることにより、その外側におけるシュリンクラベルも平滑となるので、シュリンクラベルに印刷された文字や図形がくっきりと見えて良好な外観が得られる。そして、角部に縦溝を形成することによりシュリンクラベルとの接触面積がその角部において小さくなり、シュリンクラベルとの間の周方向の摩擦抵抗は、縦溝を設けた角部において相対的に小さく、壁面部において相対的に大きくなる。
【０００９】
また、易滑動部をシュリンクラベル側に設ける場合には以下のように構成することが好ましい。即ち、シュリンクラベルの内面であって容器の側壁の少なくとも一つの角部に対応した箇所に、易滑動部としての滑り性に優れた樹脂層を部分的に形成することが好ましい。易滑動部として滑り性に優れた樹脂層をシュリンクラベルの内面に局所的に形成することにより、シュリンクラベルの内面の摩擦抵抗を全体的にではなく局所的に容易に小さくすることができる。即ち、シュリンクラベルの内面の摩擦抵抗を、全周に亘って均一とするのではなく、容器の側壁の少なくとも一つの角部に対応した箇所のみ小さくすることができる。
【００１０】
また、本発明に係る角形容器は、横断面視角形の側壁にシュリンクラベルが装着される角形容器であって、側壁の少なくとも一つの角部における外面には、該角部におけるシュリンクラベルとの間の周方向の摩擦抵抗を側壁の角部以外の壁面部における摩擦抵抗よりも小さくするための易滑動部が形成されていることを特徴とする。
【００１１】
また、本発明に係る角形容器用のシュリンクラベルは、横断面視角形の容器の側壁に装着される角形容器用のシュリンクラベルであって、容器の側壁の少なくとも一つの角部に対応した箇所の内面には、該箇所における容器の側壁との間の周方向の摩擦抵抗を角部以外の壁面部に対応した箇所における摩擦抵抗よりも小さくするための易滑動部が形成されていることを特徴とする。
【発明の効果】
【００１２】
以上のように、本発明に係るシュリンクラベル付き角形容器は、易滑動部によってシュリンクラベルが角部においてスムーズに熱収縮できるので、角部において発生しやすいシュリンクラベルの皺を抑制することができる。
【００１３】
また、本発明に係る角形容器並びに角形容器用のシュリンクラベルにおいても、同様に易滑動部によってシュリンクラベルが角部においてスムーズに熱収縮できるので、角部において発生しやすいシュリンクラベルの皺を抑制することができる。
【図面の簡単な説明】
【００１４】
【図１】本発明の一実施形態におけるシュリンクラベル付き角形容器を示す斜視図。
【図２】同シュリンクラベル付き角形容器に使用されている容器を示す側面図。
【図３】図２のＡ−Ａ断面図。
【図４】図３のＢ部拡大図。
【図５】本発明の他の実施形態におけるシュリンクラベル付き角形容器に使用される容器の要部を示す図であって、図４に対応した断面図。
【図６】本発明の他の実施形態におけるシュリンクラベル付き角形容器に使用されるシュリンクラベルの内面を示す要部正面図。
【発明を実施するための形態】
【００１５】
以下、本発明の一実施形態に係るシュリンクラベル付き角形容器について図１〜図４を参酌しつつ説明する。図１に示すシュリンクラベル付き角形容器は、横断面視角形の側壁１１を有する容器１にシュリンクラベル２が装着されたものである。尚、図２においてシュリンクラベル２は二点鎖線で示されている。
【００１６】
容器１は、上面開口の有底角筒状の形状であって、底面壁１０と、該底面壁１０の周縁部から上方に立ち上がる横断面視長方形の側壁１１と、該側壁１１の上端部に外側に向けて突設されたフランジ１２とを備えている。底面壁１０は、横断面視長方形の側壁１１に合わせて長方形である。
【００１７】
側壁１１は底面壁１０の周縁部から上方に立ち上がって形成されているが、大別すると上下二つの領域からなる。即ち、側壁１１は、下側の領域であって底面壁１０から立ち上がった側壁主部１５と、上側の領域であって側壁主部１５から外側に向かう段差部１６を介して側壁主部１５の上側に延設された側壁上段部１７とからなる。
【００１８】
側壁主部１５は側壁１１の大部分の領域を占めており、底面壁１０から上方に向かって徐々に広がっていくテーパ状に形成されている。但し、側壁主部１５の傾斜勾配は数度程度である。側壁主部１５は、四つの壁面部２０，２１を備えている。即ち、側壁主部１５は、長辺側の一対の壁面部２０と短辺側の一対の壁面部２１とを備えている。短辺側の一対の壁面部２１は容器１の左右両側面となる面であって、長辺側の一対の壁面部２０は容器１の正面及び背面となる面である。図３に示すように、短辺側の一対の壁面部２１は略フラットに形成されている一方、長辺側の一対の壁面部２０は外側に向けて少し湾曲状に膨出した形状に形成されている。これら四つの壁面部２０，２１の外面は何れも凹凸のない滑らかな平滑面となっている。
【００１９】
隣り合う壁面部２０，２１同士の間の角部２２、即ち、長辺側の壁面部２０と短辺側の壁面部２１との間の角部２２は合計四箇所あるが、何れの角部２２も横断面視円弧状に形成されている。該四つの角部２２の外面には縦溝２３がそれぞれ形成されている。縦溝２３は周方向（横方向）に一定の間隔を空けながら複数本（例えば八本）並設されている。該縦溝２３は側壁主部１５にのみ形成され側壁上段部１７には形成されていない。上述のように側壁主部１５が上方に広がるテーパ形状であるため縦溝２３間の間隔は上側ほど僅かに広くなっている。また、縦溝２３は側壁主部１５の略全高に亘って形成されていてその上端は段差部１６近傍まで達している。該縦溝２３は、図４のように横断面視においてＶ字状（即ちＶ溝）である。尚、縦溝２３の幅は上端において例えば約１ｍｍであり、縦溝２３間の間隔は縦溝２３の幅よりも大きく例えば約２〜３ｍｍである。このように角部２２の外面に縦溝２３を形成することから角部２２の内面には縦溝２３に対応して縦方向の突条２４が内側に向けて突設されている。即ち、縦溝２３に対応して角部２２の内面に突条２４を形成することにより、縦溝２３を形成した部分において肉厚が極度に薄くならないようにしている。本実施形態において縦溝２３が易滑動部を構成しており、該縦溝２３が形成されることで、シュリンクラベル２との間の周方向の摩擦抵抗は、側壁主部１５の角部２２において相対的に小さく、側壁主部１５の壁面部２０，２１において相対的に大きくなっている。
【００２０】
側壁上段部１７は側壁主部１５よりも外側に一段拡大していて、その上下方向の寸法は側壁主部１５よりも小さく帯状であるが、側壁主部１５と同様に横断面視長方形に形成されている。また、側壁主部１５がテーパ形状である一方、側壁上段部１７は略直立に起立しており、その上端部に全周に亘ってフランジ１２が略水平に形成されている。
【００２１】
側壁上段部１７も四つの壁面部３０，３１を備えている。即ち、側壁上段部１７は、長辺側の一対の壁面部３０と短辺側の一対の壁面部３１とを備えている。短辺側の一対の壁面部３１は、側壁主部１５の短辺側の壁面部２１の上側に位置して側壁主部１５の短辺側の壁面部２１と共に容器１の左右両側面を構成し、長辺側の一対の壁面部３０は、側壁主部１５の長辺側の壁面部２０の上側に位置して側壁主部１５の長辺側の壁面部２０と共に容器１の正面及び背面を構成している。側壁上段部１７においても側壁主部１５と同様に、短辺側の一対の壁面部３１は略フラットに形成されている一方、長辺側の一対の壁面部３０は外側に向けて少し湾曲状に膨出した形状に形成されている。これら四つの壁面部３０，３１の外面は何れも凹凸のない滑らかな平滑面となっている。そして、隣り合う壁面部３０，３１同士の間の角部３２、即ち、長辺側の壁面部３０と短辺側の壁面部３１との間の角部３２は合計四箇所あって何れの角部３２も横断面視円弧状に形成されているが、側壁上段部１７の角部３２には縦溝２３は形成されていない。即ち、側壁上段部１７の外面は全周に亘って凹凸のない滑らかな平滑面となっている。このように本実施形態において容器１の側壁１１の角部は側壁主部１５の角部２２と側壁上段部１７の角部３２とからなり、そのうちの側壁主部１５の角部２２に縦溝２３が形成されている。
【００２２】
以上のように構成された容器１は各種の合成樹脂から射出成形によって形成されるが、ブロー成形やシート成形によって形成してもよい。
【００２３】
かかる容器１の側壁１１に筒状のシュリンクラベル２が装着されている。該シュリンクラベル２は側壁１１の略全体を覆っており、その下端部２ｂは底面壁１０の周縁部まで回り込んでいて、その上端部２ａは側壁上段部１７の略上端まで達している。即ち、シュリンクラベル２の上端部２ａはフランジ１２の略直下に位置している。側壁主部１５の角部２２に形成された縦溝２３は、その全体がシュリンクラベル２によって覆われていてシュリンクラベル２の外側から視認することができない。また、縦溝２３の幅は狭いため、シュリンクラベル２が熱収縮によって縦溝２３内に入り込んでシュリンクラベル２の表面に縦溝２３に対応した縦筋が生じるということもなく、シュリンクラベル２の表面は角部２２においても滑らかな面となっている。
【００２４】
シュリンクラベル２はフィルム基材の内面に文字やデザイン等の表示印刷層が積層され、該表示印刷層の内面に白色印刷層が積層され、表示印刷層をフィルム基材を介して外部から視認する構成となっている。フィルム基材としてはポリエステル系樹脂やポリスチレン系樹脂等の種々の公知のものが使用できる。フィルム基材の周方向の熱収縮率は、８０℃の温水中に１０秒間浸漬した際において約３０％以上、特に約４０％以上が好ましい。上述のように容器１の側壁主部１５は上方に向けて広がったテーパ形状であって、更に、側壁上段部１７は側壁主部１５よりも一段大型であるので、シュリンクラベル２の収縮量は、側壁上段部１７において最も小さく、側壁主部１５における収縮量は側壁上段部１７におけるそれよりも大きく且つ下側に向かう程大きくなっていく。また、シュリンクラベル２の内面の上部所定領域にはディレードタック型の接着剤を例えばグラビア印刷等によって塗布することが好ましい。この接着剤がシュリンク時の熱によって活性化することによりシュリンクラベル２が側壁上段部１７に接着され、これによりシュリンクラベル２が下方に位置ずれすることが防止される。接着剤はシュリンクラベル２の内面の上部所定領域に所望により形成すればよいが、例えば、接着剤が塗布された塗布部を全周に亘って周方向に連続的に形成するのではなく、所定長さの塗布部と接着剤が塗布されていない未塗布部を周方向に交互に形成することが好ましく、これによりシュリンクラベル２を扁平状に折り畳んだ際の内面同士のブロッキングを防止することができる。尚、塗布部と未塗布部を周方向に交互に形成する場合には、その周方向に沿った列を上下二列形成すると共に上側の列と下側の列で塗布部が千鳥状に配置されるように形成することが好ましい。
【００２５】
以上のように、容器１の側壁１１のうちシュリンクラベル２の収縮量が相対的に大きい領域である側壁主部１５においてその各角部２２に複数の縦溝２３が形成されているので、筒状のシュリンクラベル２を側壁１１に被せて加熱して収縮させる際に、そのシュリンクラベル２が側壁主部１５の各角部２２において周方向にスムーズに移動し収縮することができる。従って、側壁主部１５の角部２２においてシュリンクラベル２に生じやすい皺を防止することができ、良好な美観が得られる。また、側壁主部１５の角部２２に縦溝２３が形成されていても該縦溝２３がシュリンクラベル２によって覆われて外部からは視認されないので美観が損なわれることもない。しかも、側壁主部１５の壁面部２０，２１には縦溝２３がなく壁面部２０，２１が平滑面となっているので、壁面部２０，２１の外側に位置するシュリンクラベル２も滑らかな面となり、ラベルとしての表示機能を十分に確保することができる。尚、側壁上段部１７においてはシュリンクラベル２の収縮量が小さいのでその角部３２に縦溝２３が形成されていなくても皺が発生しにくい。このように収縮量の小さい側壁上段部１７においてはシュリンクラベル２の内面に接着剤を塗布してシュリンクラベル２が下側に位置ずれすることなく確実に装着されるようにして、その一方、収縮量の大きい側壁主部１５においてはその角部２２に縦溝２３を形成して収縮時の周方向の摩擦係数を下げて皺の発生を防止するようにしている。
【００２６】
また、上記実施形態では縦溝２３をＶ字状に形成したが、図５のように縦溝２３を横断面視円弧状に形成してもよく、その形状については任意である。また、縦溝２３の幅や間隔、長さ、本数についても任意であって、直線状ではなくギザギザに形成したり曲線状に形成したりしてもよい。
【００２７】
また、側壁主部１５の角部２２の外面に縦溝２３ではなく縦方向の突条を形成してもよい。更に、凹溝や突条を斜め方向や周方向に形成してもよい。また更に、線状ではなく凸部や凹部を側壁主部１５の角部２２の外面にのみ多数形成してもよい。何れにしても側壁主部１５の角部２２の外面に凹凸形状を形成することによって平滑面の場合に比してシュリンクラベル２との接触面積が小さくなるので、側壁主部１５の角部２２におけるシュリンクラベル２との間の摩擦抵抗を側壁主部１５の壁面部２０，２１に比して相対的に小さくすることができ、収縮量が相対的に大きい領域であってもシュリンクラベル２の皺の発生を容易に防止することができる。尚、側壁主部１５の角部２２の外面に凹凸形状を形成する他、シュリンクラベル２との間の摩擦抵抗を小さくするためのコーティングを易滑動部として側壁主部１５の角部２２の外面のみに形成してもよい。
【００２８】
尚、本実施形態では側壁１１を側壁主部１５と側壁上段部１７の二つの領域から構成したが、側壁上段部１７がなく、側壁１１がその上端部までテーパ形状となった構成としてもよい。その場合、縦溝２３を側壁１１の上端部まで形成してもよく、また、側壁１１の全高のうちの一部にのみ形成してもよい。
【００２９】
また、このように容器１側に易滑動部を形成する他、シュリンクラベル２側に易滑動部を形成してもよい。例えば図６のようにシュリンクラベル２の内面に滑り性に優れた樹脂層としてのインキ層４０を周方向に間隔をあけて合計四箇所形成する。該インキ層４０は上述した白色印刷層の更に内側に例えばグラビア印刷によりパートコートされている。該インキ層４０としては透明のものが好ましく、例えば顔料を含まないメジウムインキ層とすることができる。このメジウムインキは、実質的に顔料を含まず、例えば、水又は水とアルコールに、アクリル樹脂、アクリル共重合体、ポリエステル系樹脂、ウレタン樹脂、水性ポリアミド樹脂等を分散させたエマルジョン等の水性のものや、トルエン、メチルエチルケトン、酢酸エチル、イソプロピルアルコール等の溶剤に、ロジン、ケトン樹脂、塩化ビニル樹脂、塩化ビニル−酢酸ビニル共重合体、アクリル樹脂、ウレタン樹脂、アクリル−ウレタン共重合体、ポリエステル樹脂等を溶解させた溶剤型のものなどが挙げられる。特に、アクリル系樹脂、アクリル系樹脂とニトロセルロース系樹脂を主成分とするメジウムインキが好ましい。また、滑り性を良くするために、ワックス類やシリコーン、シリカなどの微粒子や各種滑剤を添加することも好ましい。尚、必要に応じて、増粘剤、消泡剤、防かび剤、水溶化剤などの各種添加剤を混合することができる。尚、上述したようにシュリンクラベル２の内面の上部所定領域に接着剤を塗布してもよい。その場合には、接着剤がインキ層４０と重なり合わないように塗布してもよいし、インキ層４０の上部領域に上から重なるようにして塗布してもよい。
【００３０】
このようにシュリンクラベル２側に易滑動部を設けてもよく、容器１とシュリンクラベル２の双方に易滑動部を設けてもよい。
【００３１】
また、側壁主部１５の角部２２の全てに易滑動部を設けなくてもよく、例えば対角線上の二箇所の角部２２のみに設けたり、一方の長辺側の二箇所の角部２２に設けたりしてもよく、一箇所のみ設けてもよい。シュリンクラベル２側に易滑動部を設ける場合も同様である。また、縦溝２３等の易滑動部を側壁主部１５の角部２２の全高に亘って形成しなくてもよく、例えば側壁主部１５の角部２２のうち下部領域のみに縦溝２３等の易滑動部を設けてもよく、逆に、側壁上段部１７を含めて側壁１１の全高に亘って設けてもよく、側壁１１の角部の全高のうち少なくとも一部に形成されていればよい。但し、側壁１１の角部の全高のうち相対的に収縮量が大きい箇所に易滑動部を設けることが好ましい。
【００３２】
尚、容器１として横断面視長方形のものを例示したが、横断面視正方形のものであってもよく、その他の角形形状であっても無論よい。また、フランジ１２付きの容器１として説明したが、胴部（側壁）が横断面視角形のＰＥＴボトルであってもよい。
【符号の説明】
【００３３】
１    容器
２    シュリンクラベル
２ａ  上端部
２ｂ  下端部
１０    底面壁
１１    側壁
１２    フランジ
１５    側壁主部
１６    段差部
１７    側壁上段部
２０    壁面部
２１    壁面部
２２    角部
２３    縦溝（易滑動部）
２４    突条
３０    壁面部
３１    壁面部
３２    角部
４０    インキ層（樹脂層、易滑動部）
【図１】
2013189219.tif 000003
【図２】
2013189219.tif 000004
【図３】
2013189219.tif 000005
【図４】
2013189219.tif 000006
【図５】
2013189219.tif 000007
【図６】
2013189219.tif 000008